(57)【要約】【課題】筐体を薄型にすることができるタッチパネルモジュール及び携帯端末装置を提供すること。【解決手段】携帯端末装置に備えられるタッチパネルモジュールが、第１の面側に配線パターンが形成される透明部材であるタッチパネルと、タッチパネルの第１の面の反対側面である第２の面に貼り付けられ、かかる第２の面に貼り付けられる面のうち、少なくとも前述の配線パターンに対応する部分に不透明な塗料が塗布された飛散防止フィルム等のフィルム部材とを有する。【選択図】図６
2011205499.tif 000002
【特許請求の範囲】
【請求項１】
第１の面と該第１の面の反対側の第２の面とを有し、該第１の面側に配線パターンが形成される透明部材と、
前記透明部材の第２の面に貼り付けられ、該第２の面に貼り付けられる面の前記配線パターンに対応する部分に不透明な塗料が塗布されたフィルム部材と
を有することを特徴とするタッチパネルモジュール。
【請求項２】
前記透明部材は、
一端が基板と接続されるケーブルの他端が前記第１の面側に接続され、
前記フィルム部材は、
前記第２の面に貼り付けられる面の前記ケーブルの接続部位に対応する部分に不透明な塗料が塗布されたことを特徴とするタッチパネルモジュール。
【請求項３】
タッチパネルを有する携帯端末装置であって、
前記タッチパネルは、
表示面の裏面に配線パターンが形成される透明部材と、
前記透明部材の表示面に貼り付けられ、該表示面に貼り付けられる面の前記配線パターンに対応する部分に不透明な塗料が塗布されたフィルム部材と
を有することを特徴とする携帯端末装置。
【請求項４】
前記タッチパネルを覆う外装ケースをさらに有し、
前記フィルム部材は、
前記表示面に貼り付けられる面の前記配線パターンに対応する部分に前記外装ケースに着色されている色と略同一の色の塗料が塗布されたことを特徴とする請求項３に記載の携帯端末装置。
【請求項５】
前記フィルム部材は、前記透明部材が飛散することを防止する飛散防止フィルムであることを特徴とする請求項３または４に記載の携帯端末装置。
【発明の詳細な説明】
【技術分野】
【０００１】
本発明は、タッチパネルモジュール及び携帯端末装置に関する。
【背景技術】
【０００２】
携帯電話機などの携帯端末装置には、表示部と操作部とが一体化したタッチパネルが設けられる場合がある。このような携帯端末装置を用いる場合に、ユーザは、タッチパネルに表示された画像を視認しながら、タッチパネルに触れることにより携帯端末装置を操作することができる。一般に、タッチパネルは、携帯端末装置の表面に設けられる意匠パネルの裏側に貼付されており、意匠パネルへの接触を検知する。
【０００３】
図７及び図８を用いて、タッチパネルを有する従来の携帯電話機について説明する。なお、図７及び図８では、操作部を備えた固定側筐体と表示部を備えた可動側筐体とがスライド自在に連結されたスライド型の携帯電話機を例に挙げて説明する。図７は、タッチパネルを有する従来のスライド型携帯電話機の外観例を示す斜視図である。図７に示すように、従来のスライド型の携帯電話機２００は、可動側筐体２１０と固定側筐体２２０とを備える。なお、図７は、可動側筐体２１０がスライドされて、可動側筐体２１０と固定側筐体２２０とが最小の重なり範囲で重なった開状態を示している。
【０００４】
図８は、図７のＩ−Ｉ線における断面を模式的に示す図である。図８に示すように、可動側筐体２１０は、外装ケース２１１内にタッチパネル２３１と意匠パネル２３２とが積層される。タッチパネル２３１は、透明な部材であり、例えば強化ガラスである。かかるタッチパネル２３１の表面又は内部には、配線パターン２３３が形成される。配線パターン２３３は、例えば、可動側筐体２１０内の基板と接続されるフレキシブルケーブルと接続される。意匠パネル２３２は、デザイン面などの観点から一部に塗料が塗布される。図７及び図８に示した例では、塗布領域２３４に塗料が塗布される。そして、意匠パネル２３２は、光学糊２３５等によってタッチパネル２３１に貼り付けられ、両面テープ２３６等によって外装ケース２１１に貼り付けられる。
【０００５】
このように、意匠パネル２３２は、塗布領域２３４が着色されることにより、携帯電話機２００のデザインを決定するという役割に担う。また、意匠パネル２３２は、塗布領域２３４に不透明な塗料が塗布されることにより、ユーザに配線パターン２３３等の内部構造が視認されないようにする役割も担う。
【先行技術文献】
【特許文献】
【０００６】
【特許文献１】特開２００６−１５６９２７号公報
【発明の概要】
【発明が解決しようとする課題】
【０００７】
しかしながら、上記の従来技術には、携帯電話機を薄型化にすることが困難であるという問題がある。具体的には、従来の携帯電話機は、タッチパネル及び意匠パネルの２重構造である表示部が薄型化の妨げになる。近年の携帯電話機は薄型化が進んでいるので、タッチパネルが備えられる携帯電話機であっても薄型にすることが望まれている。
【０００８】
開示の技術は、上記に鑑みてなされたものであって、筐体を薄型にすることができるタッチパネルモジュール及び携帯端末装置を提供することを目的とする。
【課題を解決するための手段】
【０００９】
本願の開示するタッチパネルモジュールは、一つの態様において、第１の面と該第１の面の反対側の第２の面とを有し、該第１の面側に配線パターンが形成される透明部材と、前記透明部材の第２の面に貼り付けられ、該第２の面に貼り付けられる面の前記配線パターンに対応する部分に不透明な塗料が塗布されたフィルム部材とを有する。
【発明の効果】
【００１０】
本願の開示するタッチパネルモジュールの一つの態様によれば、筐体を薄型にすることができるという効果を奏する。
【図面の簡単な説明】
【００１１】
【図１】図１は、実施例に係る携帯電話機の前面側外観例を示す斜視図である。
【図２】図２は、実施例における液晶表示部の構成例を示す分解斜視図である。
【図３】図３は、実施例におけるタッチパネルモジュールの拡大図である。
【図４】図４は、実施例におけるタッチパネルモジュールの拡大図である。
【図５】図５は、実施例における液晶表示部の平面図である。
【図６】図６は、図５のＩＩ−ＩＩ線における断面を模式的に示す図である。
【図７】図７は、タッチパネルを有する従来のスライド型携帯電話機の外観例を示す斜視図である。
【図８】図８は、図７のＩ−Ｉ線における断面を模式的に示す図である。
【発明を実施するための形態】
【００１２】
以下に、本願の開示するタッチパネルモジュール及び携帯端末装置の実施例を図面に基づいて詳細に説明する。なお、この実施例により本願の開示するタッチパネルモジュール及び携帯端末装置が限定されるものではない。例えば、以下の実施例では、本願の開示する携帯端末装置を携帯電話機に適用する例を示すが、本願の開示する携帯端末装置は、ＰＤＡ（Personal  Digital  Assistant）などの他の携帯端末装置にも適用することができる。なお、以下の実施例では、本願の開示する携帯端末装置を、固定側筐体と可動側筐体とが相互にスライド自在に連結されたスライド型の携帯電話機に適用する例を示す。
【実施例】
【００１３】
まず、図１を用いて、本実施例に係る携帯電話機の外観について説明する。図１は、本実施例に係る携帯電話機１００の外観例を示す斜視図である。図１に示すように、本実施例に係る携帯電話機１００は、可動側筐体１１０と、固定側筐体１２０とを備える。
【００１４】
なお、以下では、可動側筐体１１０の液晶表示部が備えられた面を「前面」と表記する場合があり、可動側筐体１１０の液晶表示部が備えられた面の裏面を「背面」と表記する場合がある。また、固定側筐体１２０の操作キーが備えられた面を「前面」と表記する場合があり、固定側筐体１２０の操作キーが備えられた面の裏面を「背面」と表記する場合がある。
【００１５】
可動側筐体１１０及び固定側筐体１２０は、図示しない連結部によって可動自在に連結される。かかる連結部は、スライド機構であり、可動側筐体１１０及び固定側筐体１２０をスライド自在に連結する。なお、図１は、可動側筐体１１０がスライドされて、可動側筐体１１０と固定側筐体１２０とが最小の重なり範囲で重なった開状態を示している。このようなスライド型の携帯電話機１００は、一般に、非使用時には可動側筐体１１０と固定側筐体１２０とが最大の重なり範囲で重ねられた閉状態となる。また、携帯電話機１００は、固定側筐体１２０に設けられたキー操作時には、可動側筐体１１０が固定側筐体１２０に対して長手方向にスライドさせられ開状態となる。
【００１６】
可動側筐体１１０は、図１に示すように、前面外装ケース１１１と、背面外装ケース１１２とを有する。前面外装ケース１１１は、閉状態時における携帯電話機１００の外面となる。また、背面外装ケース１１２は、閉状態時における携帯電話機１００の内側に位置する。
【００１７】
前面外装ケース１１１は、通話音声を受話する受話部１１３、各種情報を表示する液晶表示部１１４、前面外装ケース１１１を貫通する開口部１１５等が設けられる。開口部１１５は、可動側筐体１１０内部の前面側に備えられた図示しないマイクへ通じる貫通孔である。すなわち、ユーザが発する発話音声は、開口部１１５から可動側筐体１１０の内部へ進入し、マイクによって収音される。
【００１８】
固定側筐体１２０は、図１に示すように、前面外装ケース１２１と、背面外装ケース１２２とを有する。前面外装ケース１２１は、閉状態時における携帯電話機１００の内側に位置する。また、背面外装ケース１２２は、閉状態時における携帯電話機１００の外面となる。前面外装ケース１２１は、多機能キー、決定キー、ダイヤルキー、テンキー等の操作キーを有するキーパッド１２３が設けられる。
【００１９】
ここで、図１に示した液晶表示部１１４は、表示部と操作部とが一体化したタッチパネルである。すなわち、携帯電話機１００のユーザは、キーパッド１２３上の各種操作キーを用いて携帯電話機１００を操作できるとともに、液晶表示部１１４に触れることにより携帯電話機１００を操作することができる。
【００２０】
次に、図２を用いて、可動側筐体１１０の液晶表示部１１４について説明する。図２は、本実施例における液晶表示部１１４の構成例を示す分解斜視図である。図２に示すように、本実施例における液晶表示部１１４は、タッチパネルモジュール１３０が両面テープ１４０によって前面外装ケース１１１に貼り付けられることにより形成される。なお、タッチパネルモジュール１３０は、両面テープ１４０ではなく光学糊等によって前面外装ケース１１１に貼り付けられてもよい。
【００２１】
タッチパネルモジュール１３０は、強化ガラスやフィルム部材等が積層されて形成される。また、タッチパネルモジュール１３０は、配線パターンが形成されるとともに、可動側筐体１１０内の基板と接続されるフレキシブルケーブルが接続される。
【００２２】
ここで、図３及び図４を用いて、タッチパネルモジュール１３０の外観について説明する。図３及び図４は、本実施例におけるタッチパネルモジュール１３０の拡大図である。なお、図３は、図２に示したＡ矢視によるタッチパネルモジュール１３０の拡大図を示す。すなわち、図３は、タッチパネルモジュール１３０を可動側筐体１１０の背面から見た図である。また、図４は、図２に示したＢ矢視によるタッチパネルモジュール１３０の拡大図を示す。すなわち、図４は、タッチパネルモジュール１３０を可動側筐体１１０の前面から見た図である。
【００２３】
図３に示すように、タッチパネルモジュール１３０は、外周１３０ａが着色されている。具体的には、タッチパネルモジュール１３０の外周１３０ａは、不透明な塗料によって塗布される。また、図４に示すように、タッチパネルモジュール１３０は、前面外装ケース１１１に貼り付けられる面に配線パターン１３３が形成される。配線パターン１３３は、導線等が所定のパターンに配線された導線群であり、フレキシブルケーブル１３１と接続される。
【００２４】
フレキシブルケーブル１３１は、コネクタ１３２を有する。フレキシブルケーブル１３１は、コネクタ１３２が可動側筐体１１０内の基板と接続されることにより、かかる基板と、タッチパネルモジュール１３０内の配線パターン１３３との間における通電を行うことになる。
【００２５】
ここで、図４に示した例のように、タッチパネルモジュール１３０を図２に示したＢ矢視から見た場合には、配線パターン１３３やフレキシブルケーブル１３１等を視認できる。一方、図３に示した例のように、タッチパネルモジュール１３０を図２に示したＡ矢視から見た場合には、配線パターン１３３やフレキシブルケーブル１３１等を視認できない。これは、上記のように、タッチパネルモジュール１３０の外周１３０ａが不透明な塗料によって塗布されているからである。したがって、タッチパネルモジュール１３０の外周１３０ａは、携帯電話機１００のデザインを決定するとともに、携帯電話機１００の内部構造がユーザに視認されないようにする。
【００２６】
次に、図５を用いて、液晶表示部１１４の正面外観について説明する。図５は、本実施例における液晶表示部１１４の平面図である。図５は、図２に示したタッチパネルモジュール１３０が両面テープ１４０によって前面外装ケース１１１に取り付けられた状態を示す。
【００２７】
図５に示すように、タッチパネルモジュール１３０の外周１３０ａに不透明な塗料が塗布されているので、液晶表示部１１４の表示面からは、配線パターン１３３やフレキシブルケーブル１３１等を視認することはできない。このように、携帯電話機１００は、外周１３０ａが不透明な塗料によって塗布されているタッチパネルモジュール１３０が用いられるので、ユーザに携帯電話機１００の内部構造を視認させないことができる。
【００２８】
次に、図６を用いて、タッチパネルモジュール１３０の内部構造について説明する。図６は、図５のＩＩ−ＩＩ線における断面を模式的に示す図である。図６に示すように、タッチパネルモジュール１３０は、タッチパネル１３４と、フィルム部材１３５とが積層されて形成される。具体的には、タッチパネル１３４は、光学糊等によってフィルム部材１３５が貼り付けられ、両面テープ１３７によって前面外装ケース１１１に貼り付けられる。
【００２９】
タッチパネル１３４は、透明な部材であり、例えば強化ガラスである。図６に示すように、タッチパネル１３４は、前面外装ケース１１１に貼り付けられる面である第１面１３４ａと、第１面１３４ａの反対側の表示面である第２面１３４ｂとを有する。そして、図６に示した例において、タッチパネル１３４は、第１面１３４ａ側の一部に配線パターン１３３が形成される。
【００３０】
フィルム部材１３５は、例えば、タッチパネル１３４が割れた際に、割れたガラスが飛散することを防止するための飛散防止フィルムである。図６に示すように、フィルム部材１３５は、タッチパネル１３４の第２面１３４ｂに貼り付けられ、第２面１３４ｂに貼り付けられる面１３５ａのうち、少なくとも配線パターン１３３に対応する塗布領域１３６に不透明な塗料が塗布される。具体的には、フィルム部材１３５は、第２面１３４ｂに貼り付けられる面１３５ａのうち、配線パターン１３３が形成される第１面１３４ａに対応する第２面１３４ｂに貼り付けられる塗布領域１３６に、シルク印刷等によって不透明な塗料が塗布される。なお、図６に示した塗布領域１３６は、図５に示した外周１３０ａに相当する。
【００３１】
このように、本実施例に係る携帯電話機１００において、液晶表示部であるタッチパネルモジュール１３０は、タッチパネル１３４やフィルム部材１３５等により形成される。飛散防止フィルム等のフィルム部材１３５は一般に薄い素材であるので、タッチパネルモジュール１３０は薄い形状となる。また、本実施例におけるフィルム部材１３５の塗布領域１３６に不透明な塗料が塗布されるので、携帯電話機１００は、ユーザに表示面側から携帯電話機１００の内部構造である配線パターン１３３等を視認されることを防止することができる。
【００３２】
なお、配線パターン１３３が形成される第１面１３４ａに対応するタッチパネル１３４の第２面１３４ｂに不透明な塗料を塗布せずに、フィルム部材１３５の塗布領域１３６に塗料を塗布するのは、ユーザに気泡を視認させないためである。具体的に説明すると、例えば、タッチパネル１３４の第２面１３４ｂに塗料を塗布した後に、第２面１３４ｂにフィルム部材１３５を貼り付けると、タッチパネル１３４とフィルム部材１３５との間のうち、フィルム部材１３５側に気泡が溜まるおそれがある。具体的には、第２面１３４ｂに塗布された塗料は第２面１３４ｂに対して平坦でないので、平坦でない塗料面にフィルム部材１３５が貼り付けられると、気泡が溜まるおそれがある。このことは、ユーザに気泡を視認させてしまい、携帯電話機１００のデザイン性を劣化させるという問題を招く。したがって、本実施例に係る携帯電話機１００では、フィルム部材１３５の面１３５ａ側に塗料が塗布された後に、かかるフィルム部材１３５がタッチパネル１３４の第２面１３４ｂに貼り付けられる。塗料が塗布されたフィルム部材１３５の面１３５ａと塗料との間に気泡が溜まらないようにすることは容易である。これにより、フィルム部材１３５と塗料との間に気泡が溜まらないので、携帯電話機１００は、ユーザに気泡を視認させてしまうことを防止することができる。
【００３３】
ここで、図８及び図６に示した各部のサイズ例について説明する。まず、図８に示した例において、例えば、タッチパネル２３１の厚さは０．５［ｍｍ］であり、光学糊２３５の厚さは０．１［ｍｍ］であり、意匠パネル２３２の厚さは０．６５［ｍｍ］である。すなわち、かかる例の場合には、図８に示した携帯電話機２００の表示部の厚みＨ２０は、約１．２５［ｍｍ］となる。また、図６に示した例において、例えば、例えば、タッチパネル１３４の厚さは０．７［ｍｍ］であり、タッチパネル１３４とフィルム部材１３５との接着層の厚さは０．０５［ｍｍ］であり、塗料が塗布されたフィルム部材１３５の厚さは０．１３［ｍｍ］である。すなわち、かかる例の場合には、図６に示した携帯電話機１００のタッチパネルモジュール１３０の厚みＨ１０は、約０．８８［ｍｍ］となる。このようなことから、本実施例に係る携帯電話機１００は、図８に示した携帯電話機２００と比較して薄い形状になる。
【００３４】
上述してきたように、本実施例に係る携帯電話機１００は、配線パターンが形成されるタッチパネル１３４と、配線パターン等に対応する塗布領域１３６が不透明な塗料で塗布されたフィルム部材１３５とが積層されたタッチパネルモジュール１３０を有する。すなわち、本実施例に係る携帯電話機１００は、タッチパネルと、携帯電話機１００のデザインを決定する化粧パネルとが一体になった薄型のタッチパネルモジュール１３０を有する。これにより、本実施例に係る携帯電話機１００は、ユーザに携帯電話機１００の内部構造を視認されないように目隠しすることができるとともに、可動側筐体１１０を薄型にすることができる。
【００３５】
なお、フィルム部材１３５の塗布領域１３６に塗布される塗料の色は、不透明であれば何色でもよい。飛散防止フィルムのようなフィルム部材１３５は、意匠パネルと比較して、多種色の塗料に着色可能である。このため、本実施例における携帯電話機１００は、複数のカラーバリエーションに対応することができるので、デザインの自由度を向上させることができる。
【００３６】
また、本実施例に係る携帯電話機１００は、フィルム部材１３５として飛散防止フィルムを用いることで、可動側筐体１１０を薄型にすることができるとともに、タッチパネル１３４等が破損した場合に、破損したガラスが飛散することを防止することができる。
【００３７】
また、フィルム部材１３５の塗布領域１３６には、前面外装ケース１１１の色と同一色の塗料が塗布されてもよい。これにより、携帯電話機１００は、前面外装ケース１１１とタッチパネルモジュール１３０の外周１３０ａとのデザインに一体感を出すことができ、デザイン性を向上させることができる。
【００３８】
なお、上記実施例では、本願の開示する携帯端末装置をスライド型の携帯電話機に適用する例を示したが、本願の開示する携帯端末装置は、スライド型以外の携帯電話機に適用することもできる。例えば、本願の開示する携帯端末装置は、筐体が分割されていないストレート型や、折り畳み方式や平面回転方式の連結部により一方の筐体に対して他方の筐体を可動自在とした携帯端末装置にも同様に適用することができる。
【００３９】
また、上記実施例では、本願の開示する携帯端末装置を携帯電話機に適用する例を説明したが、本願の開示する携帯端末装置は、これに限定されるものではない。例えば、本願の開示する携帯端末装置は、小型情報処理端末、小型音楽再生装置、携帯テレビ、携帯型ゲーム機等の他の各種携帯端末装置にも適用することができる。
【符号の説明】
【００４０】
１００  携帯電話機
１１０  可動側筐体
１１１  前面外装ケース
１１２  背面外装ケース
１１３  受話部
１１４  液晶表示部
１１５  開口部
１２０  固定側筐体
１２１  前面外装ケース
１２２  背面外装ケース
１２３  キーパッド
１３０  タッチパネルモジュール
１３１  フレキシブルケーブル
１３２  コネクタ
１３３  配線パターン
１３４  タッチパネル
１３５  フィルム部材
１３６  塗布領域
１３７  両面テープ
１４０  両面テープ
２００  携帯電話機
２１０  可動側筐体
２１１  外装ケース
２２０  固定側筐体
２３１  タッチパネル
２３２  意匠パネル
２３３  配線パターン
２３４  塗布領域
２３５  光学糊
２３６  両面テープ
【図１】
2011205499.tif 000003
【図２】
2011205499.tif 000004
【図３】
2011205499.tif 000005
【図４】
2011205499.tif 000006
【図５】
2011205499.tif 000007
【図６】
2011205499.tif 000008
【図７】
2011205499.tif 000009
【図８】
2011205499.tif 000010